(57)【要約】【課題】  従来のページ押えに、目線の目安に機能を付加するには、書籍の厚さ、書籍の大きさ、さらに押圧力の違いに対応できるものが求められる。  本発明は、ページ押えの機能と、目線の目安となるものを付加した、入力補助具を提供しようとするものである。【解決手段】  ケースの前面部に設けた、回動可能な円板状の高さ調整円板と、該高さ調整円板の外周近傍に円板に対して直角方向に設けた、伸縮可能な棒状部材と、前記ケースの底面には磁石が上下動可能な開口部と、対向する側面には押上げ開口部とを設け、前記押上げ開口部に設けた、押上げガイドと、該押上げガイドを摺動する押上げ部材と、該押上げ部材のテーパー状の先端で、磁石と一体化した、テーパー状の磁石取付部材を押上げる構造とする。【選択図】      図１
2006088339.tif 000002
【特許請求の範囲】
【請求項１】
ケースの前面部に設けた、回動可能な円板状の高さ調整円板と、該高さ調整円板の外周近傍に円板に対して直角方向に設けた、伸縮可能な棒状部材と、前記ケースの底面には磁石が上下動可能な開口部と、対向する側面には押上げ開口部とを設け、前記押上げ開口部に設けた、押上げガイドと、該押上げガイドを摺動する押上げ部材と、該押上げ部材のテーパー状の先端で、磁石と一体化した、テーパー状の磁石取付部材を押上げることを特徴とする、ページ押え兼用入力補助具。
【発明の詳細な説明】
【技術分野】
【０００１】
この発明は、パソコン等のキーボードによる文章入力の際に、書籍のページ押えを兼ねた、目線の目安となる、入力補助具に関するものである。
【背景技術】
【０００２】
読書をする際に書籍等のページを開いた状態に維持するページ押えに関しては、クリップによる止め具、屈曲自在なアームによる止め具等が考案されている。屈曲自在なアームによる止め具としては、下記文献１が出願されている。このページ押え具は単純で小型な構造であり、汎用性もあるが、パソコン等のキーボードによる文章入力の際に、目線の目安となるものにはなっていなかった。
【特許文献１】実用新案公報３０３６７２３
【発明の開示】
【発明が解決しようとする課題】
【０００３】
パソコン等のキーボードによる文章入力の際に、目線の目安となるものとしては、従来、数枚程度の用紙であれば、スチール製のボード上で磁石付きの棒状部材等が使用されている。しかし書籍のように厚みのあるものに対して、磁石付きの棒状部材では磁力が作用せず、使用することができない。
従来のページ押えに、目線の目安に機能を付加するには、書籍の厚さ、書籍の大きさ、さらに押圧力の違いに対応できるものが求められる。
本発明は、上記のような、ページ押えの機能と、目線の目安となるものを付加した、入力補助具を提供しようとするものである。
【課題を解決するための手段】
【０００４】
ケースの前面部に設けた、回動可能な円板状の高さ調整円板と、該高さ調整円板の外周近傍に円板に対して直角方向に設けた、伸縮可能な棒状部材と、前記ケースの底面には磁石が上下動可能な開口部と、対向する側面には押上げ開口部とを設け、前記押上げ開口部に設けた、押上げガイドと、該押上げガイドを摺動する押上げ部材と、該押上げ部材のテーパー状の先端で、磁石と一体化した、テーパー状の磁石取付部材を押上げる構造とすることを特徴とする、ページ押え兼用入力補助具。
【０００５】
これにより、普段はページ押えとして使用されているものを、パソコン等のキーボードによる文章入力の際に、目線の目安となるものとして、使用することができるようになる。
【発明の効果】
【０００６】
本発明のページ押え兼用入力補助具を使用することにより、次のようなことが可能となる。
イ、パソコン等のキーボードによる文章入力の際に、目線が定まり入力作業が滞りなく行うことができる。
ロ、本器具を移動する際に、ケースの側面の押上げ部を押すだけで、磁石が離れ、磁石の接触面を傷つけることなく、移動操作を滑らかに行うことができる。
ハ、数枚以上の用紙となると、磁石付きの棒状部材では磁石の効果がなくなるが、本器具では書籍の厚みに応じて、高さ調整円板を回し、伸縮部材を上下させることができ、適宜対応することができる。
ニ、さらに書籍の大きさに応じて、伸縮部材を伸縮させることにより、適宜対応することができる。
ホ、キーボードによる文章入力作業だけではなく、単にページを開いて置きたい場合でも使用することができ、その場の状況に応じて使用することができる。
へ、スチール製のホワイトボード等で、講義や説明をする際、文章や図表を書き、それらを指し示して置きたいときに使用することができる。あるいは本器具を複数個用いて、平行線、直交線など、様々な形で説明等に使用することができる。
ト、合成樹脂製、紙製のバインダーでも、図５のようにスチール板押えを用いることにより、様々に活用することができる。
【発明を実施するための最良の形態】
【０００７】
本発明の実施の形態について、図面を参照して説明する。図１〜図５の形状は実施の形態の一例であり、解決手段に記された機能を果たすことができれば、種々の変形は可能である。
【０００８】
本発明はページ押え兼用入力補助具であって、図１に示すように、外観としては略直方体の前面部５に設けた、高さ調整円板３と、その高さ調整円板３の外周近傍に、直角方向に取付けた伸縮部材２と、両側面部９に設けた押上げ部材１５とで構成されている。
図１の外観は直方体となっているが、磁石１０の押上げ機構と、高さ調整円板３が設けられ、底面部１７に磁石１０が取り付けられる形状であれば、略球状等の形状でも、変形は可能である。
ケース等の材質は、限定されるものではなく、金属、合成樹脂、木材等、いずれでも可能である。
【０００９】
図１に示すように、伸縮部材２は、書籍の大きさに応じて、適宜伸縮できる構造とする。伸縮する際、先端部が次第に細くなるが、その細くなる度合に応じて、高さ調整円板３を前傾させて、先端部が先に紙面に接触するように取付けられていることが望ましい。
【００１０】
書籍の厚さに応じて、高さ調整円板３を回転させ、高さ調整できるものとする。この高さ調整円板３はある程度以上のトルクで回さないと、回転しないように取付ける。適度なトルクを維持する上で、円板固定螺子６を取り付ける際に、スプリングワッシャに換えて、トルク調整スプリング７を用いて、トルクを調整できる構造とすることが望ましい。
高さ調整円板３には、トルクを考慮して高さ調整つまみ８を取付ける。
あるいは高さ調整円板３がわずかな力で回転しないように、図示しないが、回転ロック機構を設けることも可能である。
【００１１】
図２に示すように、高さ調整円板（表）３と高さ調整円板（裏）４の外周近傍に孔を設け、その孔に伸縮部材２を貫通させ、螺子止めあるいは接着剤等で固定する。その貫通された伸縮部材２が自由に回動できるように、前面部５は切り抜かれている。高さ調整円板（表）３と高さ調整円板（裏）４で、前面部５を挟持し、円板固定螺子６で固定する構造となっているが、回転の際、上下、左右に移動しないように、貫通した円板固定螺子６が前面部５の切り抜き部の縁に接するように、複数の円板固定螺子６の孔を高さ調整円板３の外周近傍に設ける。
【００１２】
図３に示すように、磁石１０の上部には磁石取付部材１１が設けられているが、この形状は押上げ部材１５のテーパーと同じ角度の台形とする。この磁石取付部材１１の上部に押上げ部スプリング１３を保持するための、スプリングガイド１２を設ける。
このスプリングガイド１２と台形の磁石取付部材１１は一体として成形してもよい。
【００１３】
図３に示すように、磁石１０の接触面から磁石１０を切り離す機構として、押上げ部材１５を設けているが、その切り離す隙間は２ミリ程度あればよい。したがって押上げ部材１５の摺動の長さは、５ミリ程度でよい。
【００１４】
図３に示すように、押上げガイド１６に沿って押上げ部材１５を押し、磁石１０が押し上げられ接触面から切り離されるが、押上げ部材１５を離せば、押上げ部材１５に取り付けられた、スプリング受け１４に押上げ部スプリング１３の付勢が作用して、磁石１０がケース１の底面に戻る機構となっている。
【００１５】
図３に示すように、磁石１０は押上げ部材１５により接触面から切り離されるが、２ミリ程度押上げられたところに、押上げガイド１６を設け、これが磁石１０の上昇に対するストッパーとなっている。
【００１６】
図４に示すように、押上げ部材１５及び押上げガイド１６の断面は正方形となっているが形状としては、円柱、円筒にすることもできる。
【００１７】
図４に示すように、押上げガイド１６の上面部が切欠きとなっているが、この押上げガイド１６に作用する力は、主に押上げガイド１６の下面部に対するものであり、上面部は摺動方向に沿って、両端の部分をわずか残した切欠きの形状でよい。
このように押上げガイド１６の上面部を開放することにより、押上げ部材１５の上面に、Ｌ字状のスプリング受け１４を取り付け、押上げ部スプリング１３の付勢を、押上げ部材１５に伝えることができる。
【００１８】
伸縮部材２の材質は強度的に真鍮等の金属であることが望ましい。この伸縮部材２は水平に使用されることが多いが、縦書きの文章に対しては、図示しないが、この伸縮部材２に、直角方向に取付けた棒状部材を摺動可能に設けることにより、対応することができる。
この棒状部材を取付ける機構は、軽量な合成樹脂等で製作することが望ましい。
【００１９】
通常使用するバインダーＢには、スチール板Ａを貼り付けて置けばよいが、他のバインダーＢ等を使用する際は、図５のように取付金具で固定して、使用することができる。
【図面の簡単な説明】
【００２０】
【図１】本発明の実施例の本体の斜視図及び使用状況
【図２】本発明の実施例の本体の斜視図Ａ−Ａの断面図
【図３】本発明の実施例の本体の斜視図Ｂ−Ｂの断面図
【図４】本発明の実施例の押上げ部の斜視図
【図５】本発明の実施例のスチール板押えの側面図
【符号の説明】
【００２１】
１    ケース
２    伸縮部材
３    高さ調整円板（表）
４    高さ調整円板（裏）
５    前面部
６    円板固定螺子
７    トルク調整スプリング
８    高さ調整つまみ
９    側面部
１０  磁石
１１  磁石取付部材
１２  スプリングガイド
１３  押上げ部スプリング
１４  スプリング受け
１５  押上げ部材
１６  押上げガイド
１７  底面部
１８  押上げ開口部
Ａ    スチール板
Ｂ    バインダー
Ｃ    書籍
Ｄ    スチール板押え
【図１】
2006088339.tif 000003
【図２】
2006088339.tif 000004
【図３】
2006088339.tif 000005
【図４】
2006088339.tif 000006
【図５】
2006088339.tif 000007